(57)【要約】【課題】スプール及び規制体の一方の挿入孔に長尺部材の挿入部を容易に組付ける。【解決手段】ウェビング巻取装置１０では、ワイヤ４０において挿入部４２が延伸部４４に対する突出方向に移動されてスプール１４の挿入孔２２に挿入されている。ワイヤ４０が変形される際には、延伸部４４が巻取方向側に引張られて、挿入部４２が引出方向側に傾動されることで、挿入部４２がスプール１４の係合部２２Ａに延伸部４４とは反対側から係合されて、挿入部４２の挿入孔２２からの離脱が制限される。このため、挿入部４２を挿入孔２２に容易に組付けることができる。【選択図】図３
2018176855.tif 000002
【特許請求の範囲】
【請求項１】
乗員に装着されるウェビングが巻取られ、前記ウェビングが引出されることで引出方向に回転されるスプールと、
回転を規制可能にされる規制体と、
前記スプール及び前記規制体の一方に設けられる挿入孔と、
前記スプール及び前記規制体の一方に設けられる係合部と、
前記スプール及び前記規制体の一方の外側において延伸される延伸部及び前記延伸部に対し突出されて前記挿入孔に前記延伸部に対する突出方向側への移動により挿入される挿入部が設けられ、前記規制体の回転が規制された際に前記スプール及び前記規制体の他方に連絡されると共に前記挿入部が前記係合部に前記延伸部とは反対側から係合されて前記挿入部の前記挿入孔からの離脱が制限された状態で変形されることで前記スプールの引出方向への回転が許容される長尺部材と、
を備えるウェビング巻取装置。
【請求項２】
前記規制体の回転が規制された際に前記挿入部が前記挿入孔に対し移動されて前記係合部に前記延伸部とは反対側から係合される請求項１記載のウェビング巻取装置。
【請求項３】
前記挿入部に突出されて設けられ、前記規制体の回転が規制された際に前記係合部に前記延伸部とは反対側から係合される突出部を備える請求項１又は請求項２記載のウェビング巻取装置。
【請求項４】
前記挿入部の前記延伸部に対する突出方向が前記延伸部の前記挿入部に対する延伸方向側にされると共に、前記規制体の回転が規制された際に前記延伸部が前記スプール及び前記規制体の一方に対し前記挿入部に対する延伸方向側への移動力を作用される請求項１〜請求項３の何れか１項記載のウェビング巻取装置。
【請求項５】
前記スプール及び前記規制体の一方に設けられ、前記挿入孔が連通されて前記挿入部が挿入されると共に、周面を前記係合部が構成する連通孔を備える請求項１〜請求項４の何れか１項記載のウェビング巻取装置。
【請求項６】
前記挿入部の前記挿入孔への挿入が維持された状態で前記長尺部材が前記スプール及び前記規制体の他方に当接可能にされる請求項１〜請求項５の何れか１項記載のウェビング巻取装置。
【発明の詳細な説明】
【技術分野】
【０００１】
本発明は、規制体の回転が規制された際に長尺部材が変形されてスプールの引出方向への回転が許容されるウェビング巻取装置に関する。
【背景技術】
【０００２】
下記特許文献１に記載のウェビング巻取装置では、ロックベースの引出方向への回転が規制された際に、ワイヤの嵌挿部がスプールの嵌挿孔に挿入されると共に、ワイヤの固定部がロックベースの固定孔に固定された状態で、ワイヤが変形されることで、スプールの引出方向への回転が許容される。
【０００３】
ここで、このウェビング巻取装置では、ワイヤの固定部がロックベースの固定孔に挿入された状態で一体的に固定されている。
【先行技術文献】
【特許文献】
【０００４】
【特許文献１】特開２００２−５９８０９号公報
【発明の概要】
【発明が解決しようとする課題】
【０００５】
本発明は、上記事実を考慮し、スプール及び規制体の一方の挿入孔に長尺部材の挿入部を容易に組付けることができるウェビング巻取装置を得ることが目的である。
【課題を解決するための手段】
【０００６】
請求項１に記載のウェビング巻取装置は、乗員に装着されるウェビングが巻取られ、前記ウェビングが引出されることで引出方向に回転されるスプールと、回転を規制可能にされる規制体と、前記スプール及び前記規制体の一方に設けられる挿入孔と、前記スプール及び前記規制体の一方に設けられる係合部と、前記スプール及び前記規制体の一方の外側において延伸される延伸部及び前記延伸部に対し突出されて前記挿入孔に前記延伸部に対する突出方向側への移動により挿入される挿入部が設けられ、前記規制体の回転が規制された際に前記スプール及び前記規制体の他方に連絡されると共に前記挿入部が前記係合部に前記延伸部とは反対側から係合されて前記挿入部の前記挿入孔からの離脱が制限された状態で変形されることで前記スプールの引出方向への回転が許容される長尺部材と、を備える。
【０００７】
請求項２に記載のウェビング巻取装置は、請求項１に記載のウェビング巻取装置において、前記規制体の回転が規制された際に前記挿入部が前記挿入孔に対し移動されて前記係合部に前記延伸部とは反対側から係合される。
【０００８】
請求項３に記載のウェビング巻取装置は、請求項１又は請求項２に記載のウェビング巻取装置において、前記挿入部に突出されて設けられ、前記規制体の回転が規制された際に前記係合部に前記延伸部とは反対側から係合される突出部を備える。
【０００９】
請求項４に記載のウェビング巻取装置は、請求項１〜請求項３の何れか１項に記載のウェビング巻取装置において、前記挿入部の前記延伸部に対する突出方向が前記延伸部の前記挿入部に対する延伸方向側にされると共に、前記規制体の回転が規制された際に前記延伸部が前記スプール及び前記規制体の一方に対し前記挿入部に対する延伸方向側への移動力を作用される。
【００１０】
請求項５に記載のウェビング巻取装置は、請求項１〜請求項４の何れか１項に記載のウェビング巻取装置において、前記スプール及び前記規制体の一方に設けられ、前記挿入孔が連通されて前記挿入部が挿入されると共に、周面を前記係合部が構成する連通孔を備える。
【００１１】
請求項６に記載のウェビング巻取装置は、請求項１〜請求項５の何れか１項に記載のウェビング巻取装置において、前記挿入部の前記挿入孔への挿入が維持された状態で前記長尺部材が前記スプール及び前記規制体の他方に当接可能にされる。
【発明の効果】
【００１２】
請求項１に記載のウェビング巻取装置では、乗員に装着されるウェビングがスプールに巻取られており、ウェビングがスプールから引出されることで、スプールが引出方向に回転される。また、スプール及び規制体の一方に挿入孔及び係合部が設けられると共に、長尺部材に延伸部及び挿入部が設けられており、延伸部がスプール及び規制体の一方の外側において延伸されると共に、挿入部が延伸部に対し突出されて挿入孔に挿入される。
【００１３】
さらに、規制体の回転が規制された際に、長尺部材がスプール及び規制体の他方に連絡されると共に、挿入部の挿入孔からの離脱が制限された状態で、長尺部材が変形されることで、スプールの引出方向への回転が許容される。
【００１４】
ここで、挿入部が挿入孔に延伸部に対する突出方向側への移動により挿入されており、規制体の回転が規制された際に、挿入部が係合部に延伸部とは反対側から係合されて、挿入部の挿入孔からの離脱が制限される。
【００１５】
このため、挿入部を挿入孔に延伸部に対する突出方向側への移動により挿入するのみで、規制体の回転が規制された際に挿入部の挿入孔からの離脱を制限でき、挿入孔に挿入部を容易に組付けることができる。
【００１６】
請求項２に記載のウェビング巻取装置では、規制体の回転が規制された際に、挿入部が、挿入孔に対し移動されて、係合部に延伸部とは反対側から係合される。このため、挿入部が係合部に延伸部とは反対側から効果的に係合でき、挿入部の挿入孔からの離脱を効果的に制限できる。
【００１７】
請求項３に記載のウェビング巻取装置では、挿入部に突出部が突出されて設けられており、規制体の回転が規制された際に、突出部が係合部に延伸部とは反対側から係合される。このため、挿入部が係合部に延伸部とは反対側から効果的に係合でき、挿入部の挿入孔からの離脱を効果的に制限できる。
【００１８】
請求項４に記載のウェビング巻取装置では、挿入部の延伸部に対する突出方向が延伸部の挿入部に対する延伸方向側にされており、規制体の回転が規制された際に、延伸部がスプール及び規制体の一方に対し挿入部に対する延伸方向側への移動力を作用される。このため、挿入部が係合部に延伸部とは反対側から効果的に係合でき、挿入部の挿入孔からの離脱を効果的に制限できる。
【００１９】
請求項５に記載のウェビング巻取装置では、スプール及び規制体の一方に連通孔が設けられており、連通孔に挿入孔が連通されて挿入部が挿入されると共に、連通孔の周面を係合部が構成する。このため、規制体の回転が規制された際に、挿入部が係合部に延伸部とは反対側から効果的に係合でき、挿入部の挿入孔からの離脱を効果的に制限できる。
【００２０】
請求項６に記載のウェビング巻取装置では、挿入部の挿入孔への挿入が維持された状態で、長尺部材がスプール及び規制体の他方に当接可能にされる。このため、挿入部の挿入孔からの離脱をスプール及び規制体の他方によって制限できる。
【図面の簡単な説明】
【００２１】
【図１】本発明の第１実施形態に係るウェビング巻取装置を示す前方から見た断面図である。
【図２】本発明の第１実施形態に係るウェビング巻取装置の主要部を示す断面図（図１の２−２線断面図）である。
【図３】本発明の第１実施形態に係るウェビング巻取装置の主要部を示す断面図（図２の３−３線断面図）である。
【図４】（Ａ）は、本発明の第１実施形態に係るウェビング巻取装置のワイヤ配置部分を示す断面図であり、（Ｂ）は、本発明の第２実施形態に係るウェビング巻取装置のワイヤ配置部分を示す断面図であり、（Ｃ）は、本発明の第３実施形態に係るウェビング巻取装置のワイヤ配置部分を示す断面図である。
【発明を実施するための形態】
【００２２】
［第１実施形態］
図１には、本発明の第１実施形態に係るウェビング巻取装置１０が前方から見た断面図にて示されている。なお、図面では、ウェビング巻取装置１０の一側方を矢印ＯＳで示し、ウェビング巻取装置１０の上方を矢印ＵＰで示している。
【００２３】
本実施形態に係るウェビング巻取装置１０は、車両に設置されており、ウェビング巻取装置１０の前方、一側方及び上方は、それぞれ例えば車幅方向外方、車両後方及び上方に向けられている。
【００２４】
図１に示す如く、ウェビング巻取装置１０は、支持部材としての断面Ｕ字形板状のフレーム１２を備えており、フレーム１２には、後方の背板（図示省略）と、一側方の脚板１２Ａと、他側方の脚板１２Ｂと、が設けられている。フレーム１２は、背板において、車体に固定されており、これにより、ウェビング巻取装置１０が車両に設置されている。
【００２５】
フレーム１２の脚板１２Ａと脚板１２Ｂとの間には、略円筒状のスプール１４が回転可能に支持されており、スプール１４の脚板１２Ａ側の端部は、脚板１２Ａの円状の貫通孔１２Ｃを貫通すると共に、スプール１４の脚板１２Ｂ側の端部は、脚板１２Ｂの円状の貫通孔１２Ｄを貫通している。
【００２６】
スプール１４には、長尺帯状のウェビング１６が長手方向基端側から巻取られており、スプール１４が巻取方向（図１の矢印Ａの方向）へ回転されることで、スプール１４にウェビング１６が巻取られると共に、スプール１４からウェビング１６が引出されることで、スプール１４が引出方向（図１の矢印Ｂの方向）へ回転される。また、スプール１４からウェビング１６が引出されることで、車両の座席に着座した乗員にウェビング１６が装着される。
【００２７】
スプール１４の周壁には、複数の肉抜穴１８（図３及び図４（Ａ）参照）が形成されており、複数の肉抜穴１８は、スプール１４の周方向及び径方向に間隔をあけて並べられている。肉抜穴１８は、正面視矩形状にされて、スプール１４の周方向に延伸されており、肉抜穴１８は、スプール１４の径方向外側に開放されている。
【００２８】
スプール１４の脚板１２Ａ側の端部には、収容部としての収容凹部２０（図２、図３及び図４（Ａ）参照）が形成されており、収容凹部２０は、スプール１４の脚板１２Ａ側の端面から開放されている。収容凹部２０は、正面視円環状にされると共に、スプール１４と同軸上に配置されており、収容凹部２０は、断面矩形状にされている。
【００２９】
スプール１４の脚板１２Ａ側の部分には、円状の挿入孔２２（図２、図３及び図４（Ａ）参照）が一対形成されており、一対の挿入孔２２は、スプール１４の周方向において離間されて配置されている。挿入孔２２は、スプール１４の軸方向に平行に延伸されて、連通孔としての脚板１２Ａ側の肉抜穴１８（以下「肉抜穴１８Ａ」という）と収容凹部２０の径方向内側部分とを連通しており、挿入孔２２の肉抜穴１８Ａ側かつ引出方向側の角部は、係合部２２Ａにされて尖部にされると共に、挿入孔２２の収容凹部２０側かつ巻取方向側の角部２２Ｂは、面取りされて湾曲されている。
【００３０】
スプール１４内には、第１エネルギー吸収機構としての第１フォースリミッタ機構２４が設けられている。
【００３１】
第１フォースリミッタ機構２４には、第１エネルギー吸収部材としての金属製で略円柱状のトーションシャフト２６が設けられており、トーションシャフト２６は、スプール１４内に同軸上に配置されている。トーションシャフト２６の脚板１２Ｂ側の他端２６Ｂは、スプール１４に一体回転可能に結合されており、これにより、トーションシャフト２６がスプール１４と一体回転可能にされている。また、トーションシャフト２６の脚板１２Ａ側の一端２６Ａは、スプール１４の脚板１２Ａ側の端部内に配置されている。
【００３２】
フレーム１２の脚板１２Ｂ外側には、付勢機構２８が設けられており、付勢機構２８内には、付勢手段としてのぜんまいばね（図示省略）が設けられている。ぜんまいばねは、スプール１４の脚板１２Ｂ側の端部に連結されており、ぜんまいばねは、スプール１４を巻取方向に付勢している。
【００３３】
フレーム１２の脚板１２Ａ外側には、規制手段としてのロック機構３０が設けられている。
【００３４】
ロック機構３０には、規制体を構成する規制部材としての略円板状のロックベース３２が設けられており、ロックベース３２は、スプール１４と同軸上に配置されている。ロック機構３０には、ロックベース３２のスプール１４側において、規制体を構成する連結部材としての略円環板状のピニオン３４が設けられており、ピニオン３４は、ロックベース３２と同軸上に配置されると共に、ロックベース３２に一体回転可能に結合されている。ピニオン３４内には、トーションシャフト２６の一端２６Ａが一体回転可能に結合されており、これにより、スプール１４、トーションシャフト２６、ロックベース３２及びピニオン３４が一体回転可能にされている。
【００３５】
ピニオン３４のスプール１４側の面には、当接部としての円環板状の当接板３４Ａ（図２、図３及び図４（Ａ）参照）が一体形成されており、当接板３４Ａは、ピニオン３４と同軸上に配置されると共に、スプール１４側に突出されている。当接板３４Ａは、断面矩形状にされて、スプール１４の収容凹部２０に挿入されており、当接板３４Ａは、収容凹部２０に径方向において嵌合されると共に、収容凹部２０の底面から離間されている。
【００３６】
当接板３４Ａのスプール１４側の面には、径方向外側部分において、押圧部としての略矩形板状の突起部３４Ｂ（図２参照）が一対一体形成されており、突起部３４Ｂは、スプール１４側に突出されると共に、スプール１４の収容凹部２０に挿入されている。一対の突起部３４Ｂは、ピニオン３４の周方向において離間されて配置されており、一対の突起部３４Ｂは、それぞれスプール１４の一対の挿入孔２２に対し引出方向側に離間されている。
【００３７】
ロック機構３０には、ロックベース３２のピニオン３４とは反対側において、センサ機構３６が設けられている。車両の衝突時（車両の急減速時及びウェビング１６のスプール１４からの急引出し時等の車両の緊急時）には、センサ機構３６が作動されて、ロック機構３０がロックベース３２の引出方向への回転を規制（ロック）することで、ピニオン３４の引出方向への回転が規制されて、トーションシャフト２６を介してスプール１４の引出方向への回転が制限される。
【００３８】
スプール１４のピニオン３４側の部分には、第２エネルギー吸収機構としての第２フォースリミッタ機構３８が設けられている。
【００３９】
第２フォースリミッタ機構３８には、第２エネルギー吸収部材（長尺部材）としての金属製で長尺棒状のワイヤ４０（図２、図３及び図４（Ａ）参照）が一対設けられており、ワイヤ４０は、断面円状にされている。
【００４０】
ワイヤ４０の基端部は、挿入部４２にされており、挿入部４２は、ワイヤ４０先端側の端部を除き、スプール１４の軸方向に平行に直線状に延伸されている。挿入部４２は、スプール１４の収容凹部２０側から、スプール１４の軸方向に移動されて、スプール１４の挿入孔２２に挿入（略嵌入かつ貫通）される（差込まれる）と共に、スプール１４の肉抜穴１８Ａに挿入されている（差込まれている）。挿入部４２のワイヤ４０先端側の端部には、曲部４２Ａが形成されており、曲部４２Ａは、挿入孔２２の角部２２Ｂに沿って湾曲されている。
【００４１】
ワイヤ４０の挿入部４２より先端側には、延伸部４４が設けられており、延伸部４４は、収容凹部２０において、挿入部４２に対し巻取方向側に直線状に延伸されて、収容凹部２０の内周面に当接されている。
【００４２】
ワイヤ４０の延伸部４４より先端側には、湾曲部４６が設けられており、湾曲部４６は、収容凹部２０において、巻取方向側に凸状に湾曲されると共に、延伸部４４に対し収容凹部２０の径方向外側に配置されている。
【００４３】
ワイヤ４０の湾曲部４６より先端側には、変形部４８が設けられており、変形部４８は、収容凹部２０において、収容凹部２０の外周面に沿って湾曲されて、収容凹部２０の外周面に当接されている。ワイヤ４０の先端面４０Ａ（変形部４８の湾曲部４６とは反対側の端面）は、ピニオン３４の突起部３４Ｂの巻取方向側近傍に配置されており、ワイヤ４０の先端面４０Ａは、突起部３４Ｂの引出方向側の面と対向されている。
【００４４】
ワイヤ４０の延伸部４４、湾曲部４６及び変形部４８は、スプール１４の収容凹部２０の底面に当接されており、ワイヤ４０がピニオン３４側に移動された際には、ワイヤ４０の延伸部４４、湾曲部４６及び変形部４８がピニオン３４の当接板３４Ａに当接されることで、ワイヤ４０のピニオン３４側への移動が係止されて、ワイヤ４０の挿入部４２がスプール１４の挿入孔２２及び肉抜穴１８Ａに挿入された状態が維持される。
【００４５】
次に、本実施形態の作用を説明する。
【００４６】
以上の構成のウェビング巻取装置１０では、スプール１４からウェビング１６が引出されて、乗員にウェビング１６が装着される。また、付勢機構２８のぜんまいばねの付勢力により、スプール１４が巻取方向に回転されて、ウェビング１６がスプール１４に巻取られることで、乗員に装着されたウェビング１６の弛みが除去される。
【００４７】
車両の衝突時には、ロック機構３０のセンサ機構３６が作動されて、ロック機構３０がロックベース３２の引出方向への回転を規制することで、ピニオン３４の引出方向への回転が規制されて、トーションシャフト２６を介してスプール１４の引出方向への回転が制限される。これにより、ウェビング１６のスプール１４からの引出しが制限されることで、ウェビング１６によって乗員が拘束される。
【００４８】
ロックベース３２及びピニオン３４の引出方向への回転が規制された状態で、乗員によるウェビング１６のスプール１４からの引出荷重（スプール１４の引出方向への回転荷重）がトーションシャフト２６の耐捩れ荷重（第１フォースリミッタ荷重）以上である際には、トーションシャフト２６が捩れ変形されて、スプール１４のロックベース３２及びピニオン３４に対する引出方向への回転が許容される。これにより、乗員の運動エネルギーがトーションシャフト２６の捩れ変形によって吸収されて、乗員が保護される。
【００４９】
さらに、トーションシャフト２６が捩れ変形されてスプール１４がロックベース３２及びピニオン３４に対し引出方向に回転された際には、一対のワイヤ４０がスプール１４と一体に引出方向に回転されて、一対のワイヤ４０の先端面４０Ａがそれぞれピニオン３４の一対の突起部３４Ｂに当接される。このため、乗員によるウェビング１６のスプール１４からの引出荷重がトーションシャフト２６の耐捩れ荷重と一対のワイヤ４０の耐変形荷重（第２フォースリミッタ荷重）との合計以上である際には、トーションシャフト２６が捩れ変形されると共に、一対のワイヤ４０が変形されて、スプール１４のロックベース３２及びピニオン３４に対する引出方向への回転が許容される。これにより、乗員の運動エネルギーがトーションシャフト２６の捩れ変形及び一対のワイヤ４０の変形によって吸収されて、乗員が保護される。
【００５０】
また、ワイヤ４０が変形される際には、ワイヤ４０が先端面４０Ａにおいて突起部３４Ｂによって巻取方向側に押圧されると共に、スプール１４の挿入孔２２及び肉抜穴１８Ａからワイヤ４０の挿入部４２が離脱されることが制限されることで、ワイヤ４０の変形部４８がスプール１４に対し巻取方向に回転されて、ワイヤ４０の湾曲部４６が巻取方向側に変形される。このため、ワイヤ４０の湾曲部４６の位置がワイヤ４０の先端側に変位されつつ、当該湾曲部４６が順次巻取方向側に変形されると共に、変形された当該湾曲部４６が順次スプール１４の収容凹部２０の内周面に巻付けられる（図２の２点鎖線参照）。
【００５１】
ところで、ワイヤ４０では、挿入部４２が延伸部４４に対しスプール１４の軸方向に突出されており、挿入部４２が延伸部４４に対する突出方向（スプール１４の軸方向）に移動されてスプール１４の挿入孔２２及び肉抜穴１８Ａに挿入されている。
【００５２】
ここで、ワイヤ４０が変形される際には、ワイヤ４０が先端面４０Ａにおいて突起部３４Ｂによって巻取方向側に押圧されて、延伸部４４が巻取方向側に引張られることで、挿入部４２が挿入孔２２の角部２２Ｂによって引出方向側に傾動される（図４（Ａ）参照）。このため、挿入部４２がスプール１４の係合部２２Ａに肉抜穴１８Ａ側（延伸部４４とは反対側）から係合される（引掛けられる）ことで、挿入部４２のワイヤ４０先端側への移動が制限されて、挿入部４２の挿入孔２２及び肉抜穴１８Ａからの離脱が制限される。
【００５３】
本実施形態では、挿入部４２が延伸部４４に対する突出方向に移動されて挿入孔２２及び肉抜穴１８Ａに挿入されるのみで、ワイヤ４０が変形される際には挿入部４２の挿入孔２２及び肉抜穴１８Ａからの離脱が制限される。このため、挿入部４２を延伸部４４に対する突出方向に移動させて挿入孔２２及び肉抜穴１８Ａに挿入するのみで、挿入部４２を挿入孔２２及び肉抜穴１８Ａに組付けることができ、挿入部４２を挿入孔２２及び肉抜穴１８Ａに容易に組付けることができて、ワイヤ４０をスプール１４に容易に組付けることができる。しかも、挿入部４２及び挿入孔２２の形状を直線状に延伸させた形状にでき、挿入部４２及び挿入孔２２の形状を簡単にできる。
【００５４】
さらに、ワイヤ４０が変形される際には、延伸部４４が巻取方向側（挿入部４２に対する延伸方向側）に引張られて、挿入部４２が挿入孔２２の角部２２Ｂによって挿入孔２２及び係合部２２Ａに対し引出方向側に傾動されることで、挿入部４２が係合部２２Ａに肉抜穴１８Ａ側から係合される（図４（Ａ）参照）。このため、挿入部４２が係合部２２Ａに肉抜穴１８Ａ側から効果的に係合でき、挿入部４２のワイヤ４０先端側への移動を効果的に制限できて、挿入部４２の挿入孔２２及び肉抜穴１８Ａからの離脱を効果的に制限できる。
【００５５】
しかも、肉抜穴１８Ａに挿入孔２２が連通されて挿入部４２が挿入されると共に、肉抜穴１８Ａの挿入孔２２側の周面を係合部２２Ａが構成している。このため、ワイヤ４０が変形される際には、挿入部４２が肉抜穴１８Ａにおいて引出方向側に効果的に傾動できて、挿入部４２が係合部２２Ａに肉抜穴１８Ａ側から効果的に係合でき、挿入部４２の挿入孔２２及び肉抜穴１８Ａからの離脱を効果的に制限できる。
【００５６】
また、ワイヤ４０がピニオン３４側に移動された場合には、延伸部４４、湾曲部４６及び変形部４８がピニオン３４の当接板３４Ａに当接されることで、ワイヤ４０のピニオン３４側への移動が係止されて、挿入部４２の挿入孔２２及び肉抜穴１８Ａへの挿入が維持される。このため、挿入部４２の挿入孔２２及び肉抜穴１８Ａからの離脱を制限できる。
【００５７】
［第２実施形態］
図４（Ｂ）には、本発明の第２実施形態に係るウェビング巻取装置６０のワイヤ４０配置部分が断面図にて示されている。
【００５８】
本実施形態に係るウェビング巻取装置６０は、上記第１実施形態と、ほぼ同様の構成であるが、以下の点で異なる。
【００５９】
図４（Ｂ）に示す如く、本実施形態に係るウェビング巻取装置６０では、スプール１４において、挿入孔２２の引出方向側端が収容凹部２０側へ向かうに従い引出方向へ向かう方向（肉抜穴１８Ａ側へ向かうに従い巻取方向へ向かう方向）に傾斜されており、挿入孔２２のスプール１４周方向における寸法は、収容凹部２０側へ向かうに従い徐々に大きくされている。また、挿入孔２２の肉抜穴１８Ａ側かつ巻取方向側の角部が係合部２２Ａにされている。
【００６０】
肉抜穴１８Ａの引出方向側の周面は、挿入孔２２の引出方向側端と面一にされており、肉抜穴１８Ａの引出方向側の周面は、収容凹部２０側へ向かうに従い引出方向へ向かう方向に傾斜されている。
【００６１】
第２フォースリミッタ機構３８では、ワイヤ４０において、挿入部４２の曲部４２Ａ以外の部分が肉抜穴１８Ａ側へ向かうに従い巻取方向へ向かう方向に直線状に延伸されている。挿入部４２は、収容凹部２０側から、肉抜穴１８Ａ側へ向かうに従い巻取方向へ向かう方向（挿入部４２の延伸部４４に対する突出方向側）に移動されて、挿入孔２２に挿入（貫通）される（差込まれる）と共に、肉抜穴１８Ａに挿入されている（差込まれている）。挿入部４２の曲部４２Ａ以外の部分は、挿入孔２２の引出方向側の端面及び肉抜穴１８Ａの引出方向側の周面に平行に配置されており、挿入部４２は、挿入孔２２の肉抜穴１８Ａ側端に対しスプール１４の周方向に僅かに移動可能にされている。
【００６２】
ここで、ワイヤ４０が変形される際には、ワイヤ４０が先端面４０Ａにおいてピニオン３４の突起部３４Ｂによって巻取方向側に押圧されて、延伸部４４が巻取方向側に引張られることで、挿入部４２がスプール１４の係合部２２Ａによって引出方向側に回動された後に、挿入部４２のワイヤ４０基端側端の角部（ワイヤ４０の基端角部）が肉抜穴１８Ａの引出方向側の周面に当接されて、挿入部４２の引出方向側への回動が係止される。さらに、延伸部４４が巻取方向側に引張られることで、挿入部４２の挿入孔２２内の部分が巻取方向側に回動されて、挿入部４２が挿入孔２２の角部２２Ｂに当接される。このため、挿入部４２が係合部２２Ａに肉抜穴１８Ａ側（延伸部４４とは反対側）から係合される（引掛けられる）ことで、挿入部４２のワイヤ４０先端側への移動が制限されて、挿入部４２の挿入孔２２及び肉抜穴１８Ａからの離脱が制限される。
【００６３】
これにより、本実施形態でも、上記第１実施形態と同様の作用及び効果を奏することができる。
【００６４】
特に、ワイヤ４０では、挿入部４２が延伸部４４に対し肉抜穴１８Ａ側へ向かうに従い巻取方向へ向かう方向に突出されている。しかも、ワイヤ４０が変形される際には、延伸部４４が巻取方向側（挿入部４２に対する延伸方向側）に引張られて、挿入部４２が挿入孔２２及び係合部２２Ａに対し引出方向側に回動されることで、挿入部４２の引出方向側への回動が肉抜穴１８Ａの引出方向側の周面によって係止された状態で、挿入部４２が係合部２２Ａに肉抜穴１８Ａ側から係合される。このため、挿入部４２が延伸部４４に対し巻取方向側（延伸部４４が引張られる側）に突出された状態で係合部２２Ａに肉抜穴１８Ａ側から係合できて、挿入部４２が係合部２２Ａに肉抜穴１８Ａ側から効果的に係合でき、挿入部４２のワイヤ４０先端側への移動を効果的に制限できて、挿入部４２の挿入孔２２及び肉抜穴１８Ａからの離脱を効果的に制限できる。
【００６５】
しかも、肉抜穴１８Ａに挿入孔２２が連通されて挿入部４２が挿入されており、肉抜穴１８Ａの挿入孔２２側の周面を係合部２２Ａが構成している。このため、ワイヤ４０が変形される際には、挿入部４２が引出方向側に回動されても、挿入部４２の引出方向側への回動を肉抜穴１８Ａの引出方向側の周面が係止できて、挿入部４２が延伸部４４に対する巻取方向側（延伸部４４が引張られる側）への突出を維持された状態で係合部２２Ａに肉抜穴１８Ａ側から係合でき、挿入部４２が係合部２２Ａに肉抜穴１８Ａ側から効果的に係合できて、挿入部４２の挿入孔２２及び肉抜穴１８Ａからの離脱を効果的に制限できる。
【００６６】
［第３実施形態］
図４（Ｃ）には、本発明の第２実施形態に係るウェビング巻取装置７０のワイヤ４０配置部分が断面図にて示されている。
【００６７】
本実施形態に係るウェビング巻取装置７０は、上記第１実施形態と、ほぼ同様の構成であるが、以下の点で異なる。
【００６８】
図４（Ｃ）に示す如く、本実施形態に係るウェビング巻取装置７０では、スプール１４において、挿入孔２２の巻取方向側端が挿入孔２２の引出方向側端に対し巻取方向側に離間されており、挿入孔２２は、スプール１４の周方向において長尺にされた楕円状にされている。
【００６９】
第２フォースリミッタ機構３８では、ワイヤ４０において、挿入部４２のワイヤ４０基端側の端部に突出部４２Ｂ（フック部）が形成されており、突出部４２Ｂは、スプール１４の収容凹部２０側の端部を除き、収容凹部２０とは反対側へ向かうに従い引出方向へ向かう方向に突出されている。挿入部４２の曲部４２Ａと突出部４２Ｂとの間の部分は、収容凹部２０とは反対側へ向かうに従い巻取方向へ向かう方向に延伸されており、突出部４２Ｂの収容凹部２０側の端部は、曲部４２Ｃにされて、湾曲されている。
【００７０】
挿入部４２は、収容凹部２０側から、スプール１４の軸方向（挿入部４２の延伸部４４に対する突出方向側）に移動されて、挿入孔２２に挿入（貫通）される（差込まれる）と共に、肉抜穴１８Ａに挿入されている（差込まれている）。このため、挿入部４２の突出部４２Ｂが肉抜穴１８Ａに配置されている。
【００７１】
ここで、ワイヤ４０が変形される際には、ワイヤ４０が先端面４０Ａにおいてピニオン３４の突起部３４Ｂによって巻取方向側に押圧されて、延伸部４４が巻取方向側に引張られることで、挿入部４２が挿入孔２２の巻取方向側の端面（角部２２Ｂを含む）によって引出方向側に傾動される。このため、挿入部４２の突出部４２Ｂ（例えば曲部４２Ｃ）がスプール１４の係合部２２Ａに肉抜穴１８Ａ側（延伸部４４とは反対側）から係合される（引掛けられる）ことで、挿入部４２のワイヤ４０先端側への移動が制限されて、挿入部４２の挿入孔２２及び肉抜穴１８Ａからの離脱が制限される。
【００７２】
これにより、本実施形態でも、上記第１実施形態と同様の作用及び効果を奏することができる。
【００７３】
特に、ワイヤ４０が変形される際には、延伸部４４が巻取方向側（挿入部４２に対する延伸方向側）に引張られて、挿入部４２が挿入孔２２及び係合部２２Ａに対し巻取方向側に傾動されることで、挿入部４２の突出部４２Ｂが係合部２２Ａに肉抜穴１８Ａ側から係合される。このため、挿入部４２の突出部４２Ｂが係合部２２Ａに肉抜穴１８Ａ側から効果的に係合でき、挿入部４２のワイヤ４０先端側への移動を効果的に制限できて、挿入部４２の挿入孔２２及び肉抜穴１８Ａからの離脱を効果的に制限できる。
【００７４】
なお、上記第１実施形態〜第３実施形態では、スプール１４に挿入孔２２、肉抜穴１８Ａ及びワイヤ４０を設けると共に、ピニオン３４に突起部３４Ｂを設けた。しかしながら、ピニオン３４に挿入孔２２、肉抜穴１８Ａ及びワイヤ４０を設けると共に、スプール１４に突起部３４Ｂを設けてもよい。
【符号の説明】
【００７５】
１０    ウェビング巻取装置
１４    スプール
１６    ウェビング
１８Ａ  肉抜穴（連通孔）
２２    挿入孔
２２Ａ  係合部
３２    ロックベース（規制体）
３４    ピニオン（規制体）
４０    ワイヤ（長尺部材）
４２    挿入部
４２Ｂ  突出部
４４    延伸部
６０    ウェビング巻取装置
７０    ウェビング巻取装置
【図１】
2018176855.tif 000003
【図２】
2018176855.tif 000004
【図３】
2018176855.tif 000005
【図４】
2018176855.tif 000006